(57)【要約】【課題】固定部材による固定に起因した樹脂製部材の損傷を防止する防水ユニットに対する樹脂製部材の取り付け構造、防水ユニット、及び防水ユニットに対する樹脂製部材の取り付け方法を提供すること。【解決手段】相手側コネクタに嵌合していない状態のコネクタ２００に取り付けられる防水ユニット１００に対する樹脂製部材１３０の取り付け構造であって、防水ユニット１００は、台座部材１１０と、台座部材１１０に取り付けられる樹脂製部材１３０と、台座部材１１０に対して樹脂製部材１３０を固定する固定部材１６０とを備え、樹脂製部材１３０は、台座部材１１０と固定部材１６０とに対して遊嵌状態で取り付けられている防水ユニット１００に対する樹脂製部材１３０の取り付け構造。【選択図】図５
2012226864.tif 000002
【特許請求の範囲】
【請求項１】
相手側コネクタに嵌合していない状態のコネクタに取り付けられる防水ユニットに対する樹脂製部材の取り付け構造であって、
前記防水ユニットは、台座部材と、前記台座部材に取り付けられる樹脂製部材と、前記台座部材に対して前記樹脂製部材を固定する固定部材とを備え、
前記樹脂製部材は、前記台座部材と前記固定部材とに対して遊嵌状態で取り付けられていることを特徴とする防水ユニットに対する樹脂製部材の取り付け構造。
【請求項２】
前記樹脂製部材は、外部に露呈した位置に配置されていることを特徴とする請求項１に記載の防水ユニットに対する樹脂製部材の取り付け構造。
【請求項３】
前記固定部材は、外周にネジ部を有する軸部と、前記軸部の一端に形成された頭部とを有し、
前記台座部材は、前記軸部の前記ネジ部に螺合するネジ部を内周に有するタップ穴を有し、
前記樹脂製部材は、前記軸部を挿通させる軸部挿通孔を有し、
前記固定部材と前記台座部材と前記樹脂製部材は、前記固定部材により前記台座部材に対して樹脂製部材を取り付けた状態で、前記頭部の座面と前記樹脂製部材との間、及び、前記軸部と前記軸部挿通孔との間に隙間が生じるように構成されていることを特徴とする請求項１または請求項２に記載の防水ユニットに対する樹脂製部材の取り付け構造。
【請求項４】
相手側コネクタに嵌合していない状態のコネクタに取り付けられる防水ユニットであって、
台座部材と、前記台座部材に取り付けられる樹脂製部材と、前記台座部材に対して前記樹脂製部材を固定する固定部材とを備え、
前記樹脂製部材は、前記台座部材と前記固定部材とに対して遊嵌状態で取り付けられていることを特徴とする防水ユニット。
【請求項５】
相手側コネクタに嵌合していない状態のコネクタに取り付けられる防水ユニットに対する樹脂製部材の取り付け方法であって、
前記防水ユニットは、台座部材と、前記台座部材に取り付けられる樹脂製部材と、前記台座部材に対して前記樹脂製部材を固定する固定部材とを備え、
前記台座部材に対して前記固定部材により前記樹脂製部材を、前記樹脂製部材が前記台座部材と前記固定部材とに対して遊嵌状態になるように取り付けることを特徴とする防水ユニットに対する樹脂製部材の取り付け方法。
【発明の詳細な説明】
【技術分野】
【０００１】
本発明は、相手側コネクタに嵌合していない状態のコネクタに取り付けられる防水ユニットに対する樹脂製部材の取り付け構造、防水ユニット、及び防水ユニットに対する樹脂製部材の取り付け方法に関する。
【背景技術】
【０００２】
従来、屋外に設置される携帯電話基地局等の通信機器へ通信ケーブルなどを接続したりあるいは取り外したりする際に使用される防水型のモジュラコネクタとして、特許文献１に記載されるようなモジュラコネクタが知られている。
【０００３】
ここで、一般に、特許文献１に記載されるモジュラコネクタのように屋外に設置されて使用されるコネクタの場合、コネクタの未使用時（すなわち、コネクタが相手側コネクタに嵌合していない時）に、コネクタに対して、コネクタ内部に水等が進入することを防止する防水ユニット等が取り付けられる。
【０００４】
そして、このような防水ユニットの素材としては、金属が用いられるのが一般的であるが、近年、軽量化等を考慮して一部の構成部材を樹脂から成形することが行われ始めている。
【先行技術文献】
【特許文献】
【０００５】
【特許文献１】特開２００５−２７６６３３号公報
【発明の概要】
【発明が解決しようとする課題】
【０００６】
ここで、他の構成部材に対する樹脂製部材の固定方法として、ネジを用いて他の構成部材に対して樹脂製部材を固定することが公知であり、この場合、ネジの座面（首下）から樹脂製部材に対して荷重がかかるようにネジを締め付けることで、他の構成部材に対して樹脂製部材を固定するのが一般的である。
【０００７】
そして、このような樹脂製部材の固定方法を用いた場合、樹脂製部材がネジから受ける荷重や樹脂製部材に対する太陽光（特に紫外線）の照射等に起因して、ネジの座面との接触部分付近から樹脂製部材にクラックが生じることがあり、このクラック発生に起因して樹脂製部材が破損して防水ユニットから樹脂製部材が脱落することがあるという問題があった。
【０００８】
そこで、本発明は、従来の問題を解決するものであって、すなわち、本発明の目的は、固定部材による固定に起因した樹脂製部材の損傷を防止する防水ユニットに対する樹脂製部材の取り付け構造、防水ユニット、及び防水ユニットに対する樹脂製部材の取り付け方法を提供することである。
【課題を解決するための手段】
【０００９】
本発明の防水ユニットに対する樹脂製部材の取り付け構造は、相手側コネクタに嵌合していない状態のコネクタに取り付けられる防水ユニットに対する樹脂製部材の取り付け構造であって、前記防水ユニットは、台座部材と、前記台座部材に取り付けられる樹脂製部材と、前記台座部材に対して前記樹脂製部材を固定する固定部材とを備え、前記樹脂製部材は、前記台座部材と前記固定部材とに対して遊嵌状態で取り付けられていることにより、前述した課題を解決したものである。
【００１０】
また、本発明の防水ユニットは、相手側コネクタに嵌合していない状態のコネクタに取り付けられる防水ユニットであって、台座部材と、前記台座部材に取り付けられる樹脂製部材と、前記台座部材に対して前記樹脂製部材を固定する固定部材とを備え、前記樹脂製部材は、前記台座部材と前記固定部材とに対して遊嵌状態で取り付けられていることにより、前述した課題を解決したものである。
【００１１】
また、本発明の防水ユニットに対する樹脂製部材の取り付け方法は、相手側コネクタに嵌合していない状態のコネクタに取り付けられる防水ユニットに対する樹脂製部材の取り付け方法であって、前記防水ユニットは、台座部材と、前記台座部材に取り付けられる樹脂製部材と、前記台座部材に対して前記樹脂製部材を固定する固定部材とを備え、前記台座部材に対して前記固定部材により前記樹脂製部材を、前記樹脂製部材が前記台座部材と前記固定部材とに対して遊嵌状態になるように取り付けることにより、前述した課題を解決したものである。
【発明の効果】
【００１２】
本発明では、樹脂製部材が台座部材及び固定部材に対して遊嵌状態で取り付けられることにより、固定部材及び台座部材の間で樹脂製部材が締め付けられ樹脂製部材に対して継続して荷重がかかることを回避するため、経年変化により樹脂製部材にクラックが生じることを防止でき、クラック発生に起因した樹脂製部材の破損により防水ユニットから樹脂製部材が脱落することを防止できる。
【００１３】
また、前述したように、樹脂製部材が台座部材及び固定部材に対して遊嵌状態で取り付けられるため、経年変化により樹脂製部材と固定部材とが相互に固着することを防止できる。
【図面の簡単な説明】
【００１４】
【図１】本発明の一実施例である防水ユニットをコネクタに取り付けた状態を示す斜視図である。
【図２】防水ユニットを示す斜視図である。
【図３】防水ユニットを示す側面図である。
【図４】防水ユニットを示す断面図である。
【図５】図４のＡ部分を拡大視して示す断面図である。
【発明を実施するための形態】
【００１５】
以下に、本発明の一実施例である防水ユニットを図１乃至図５に基づいて説明する。
【実施例】
【００１６】
まず、本発明の一実施例である防水ユニット１００は、図１に示すように、コネクタ２００に対して相手側コネクタ（図示しない）が嵌合されていない場合に、コネクタ２００の先端に形成された筒状部２１０に取り付けられ、コネクタ２００の内部を保護するものである。
【００１７】
本実施例におけるコネクタ２００は、防水型モジュラコネクタであり、屋外に設置される携帯電話基地局等の通信機器へ通信ケーブルなどを接続したりあるいは取り外したりする際に使用されるコネクタである。本実施例におけるコネクタ２００は、筒状部２１０側で相手側コネクタ（図示しない）に嵌合されるように構成され、内部にモジュラプラグ（図示しない）等が配置されている。なお、コネクタ２００の具体的な態様については、上記に限定されるものではない。
【００１８】
防水ユニット１００は、図４等に示すように、合成樹脂製の台座部材１１０と、金属製の筒状部材１２０と、合成樹脂製のキャップ（樹脂製部材）１３０と、Ｏリングパッキン１４０と、ねじりバネ１５０と、ネジ（固定部材）１６０とを備えている。
【００１９】
台座部材１１０は、基部１１１と、前方側円筒状部１１２と、位置決め凹部１１２ａと、リング用凹部１１３と、筒状部材用凹部１１４と、後方側円筒状部１１５と、規制部１１５ａと、後方側突出部１１６と、タップ穴１１７と、ネジ部１１７ａと、バネ用固定部（図示しない）とを有している。
【００２０】
基部１１１は、円板状に形成され、コネクタ２００に対して防水ユニット１００を挿入する挿入方向Ｘ１に直交する平面内に位置している。
前方側円筒状部１１２は、図４に示すように、基部１１１から挿入方向Ｘ１の前方側に向けて円筒状に突出形成され、コネクタ２００に対する防水ユニット１００の嵌合時においてコネクタ２００の筒状部２１０内に挿入される。前方側円筒状部１１２の外周には、コネクタ２００の筒状部２１０に形成された位置決め凸部（図示しない）に係合する複数の位置決め凹部１１２ａが挿入方向Ｘ１に沿って形成されている。
リング用凹部１１３は、図４に示すように、前方側円筒状部１１２の外周側に環状に凹設され、Ｏリングパッキン１４０を配置させる凹部である。
筒状部材用凹部１１４は、図４に示すように、台座部材１１０の外周側に凹設され、筒状部材１２０の突出部１２１を嵌入させ、筒状部材１２０を回動可能な状態で支持する凹部である。
後方側円筒状部１１５は、図４に示すように、基部１１１から挿入方向Ｘ１の後方側に向けて円筒状に突出形成されている。挿入方向Ｘ１における後方側円筒状部１１５の後端は、キャップ１３０の挿入方向Ｘ１の前端側への移動を規制する規制部１１５ａとして機能する。後方側円筒状部１１５の外周面には、ねじりバネ１５０の一端を固定するバネ用固定部（図示しない）が形成されている。
後方側突出部１１６は、図４に示すように、基部１１１から挿入方向Ｘ１の後方側に向けて突出形成されている。後方側突出部１１６は、後方側円筒状部１１５の内周側に形成されている。後方側突出部１１６は、挿入方向Ｘ１に沿って形成されネジ１６０の軸部１６１を挿入させるタップ穴１１７を挿入方向Ｘ１の後方側に有している。タップ穴１１７の内周面には、ネジ１６０の軸部１６１の外周に形成されたネジ部１６１ａに螺合するネジ部１１７ａが形成されている。
【００２１】
筒状部材１２０は、図１に示すように、挿入方向Ｘ１における台座部材１１０の前端側において、台座部材１１０に対して回動可能な状態で、台座部材１１０の外周に取り付けられている。
筒状部材１２０は、突出部１２１と、バネ用固定部（図示しない）と、係合部（図示しない）とを有している。
【００２２】
突出部１２１は、図４に示すように、筒状部材１２０の内周側に向けて突出形成され、台座部材１１０の筒状部材用凹部１１４内に配置されている。
筒状部材１２０のバネ用固定部（図示しない）は、筒状部材１２０の内周に形成され、ねじりバネ１５０の他端を固定する部位である。
筒状部材１２０の係合部（図示しない）は、筒状部材１２０の内周に形成され、後述する収容部１７０内に突出し、コネクタ２００に対する防水ユニット１００の嵌合時において、コネクタ２００の筒状部２１０の外周に形成された係合部（図示しない）に係合し、コネクタ２００からの防水ユニット１００の外れを防止する役割を担っている。
【００２３】
台座部材１１０と筒状部材１２０とは、図４に示すように、コネクタ２００に対する防水ユニット１００の嵌合時において、コネクタ２００の筒状部２１０を収容する収容部１７０を協働して形成している。
【００２４】
キャップ１３０は、収容部１７０側への水等の侵入を防止することを目的として、図１乃至図４に示すように、ネジ１６０により台座部材１１０の後端側に、外部に露呈した状態で取り付けられている。本実施例におけるキャップ１３０は、耐久性、加工性、軽量性に優れるプラスチックから成形されている。
キャップ１３０は、図４に示すように、基部１３１と、リップ部１３２と、ネジ用突出部１３３と、軸部挿通孔１３４と、頭部受容部１３５と、座面１３５ａとを有している。
【００２５】
基部１３１は、円板状に形成され、挿入方向Ｘ１に直交する平面内に位置している。
リップ部１３２は、図４に示すように、基部１３１の外縁から挿入方向Ｘ１の前方側に向けて環状に突出形成されている。
ネジ用突出部１３３は、図４に示すように、基部１３１の中心付近から挿入方向Ｘ１の前方側に向けて突出形成されている。
軸部挿通孔１３４は、図４に示すように、ネジ用突出部１３３を挿入方向Ｘ１に沿って貫通するように形成され、ネジ１６０の軸部１６１を挿通させる孔である。
頭部受容部１３５は、図４に示すように、挿入方向Ｘ１における軸部挿通孔１３４の後端側に連設され、ネジ１６０の頭部１６２を受容する凹部である。頭部受容部１３５は、図１に示すように、テーパ状に形成された座面１３５ａを有している。
【００２６】
Ｏリングパッキン１４０は、図４に示すように、台座部材１１０のリング用凹部１１３に配置され、その一部が収容部１７０内に位置している。
Ｏリングパッキン１４０は、コネクタ２００に対する防水ユニット１００の嵌合時において、コネクタ２００及び台座部材１１０により圧縮され、コネクタ２００の筒状部２１０の内周面と台座部材１１０（前方側円筒状部１１２）の外周面との間を封止し、コネクタ２００内に水等が進入することを防止する役割を担っている。
【００２７】
ねじりバネ１５０は、一端を台座部材１１０のバネ用固定部（図示しない）に固定されるとともに、他端を筒状部材１２０のバネ用固定部（図示しない）に固定され、台座部材１１０に対して筒状部材１２０を回動させた際に、筒状部材１２０の回動方向Ｘ２とは逆方向に向けて筒状部材１２０を弾性的に付勢する。
【００２８】
ネジ１６０は、図４に示すように、軸部１６１と、軸部１６１に連設された頭部１６２とから構成されている。
【００２９】
軸部１６１は、台座部材１１０のネジ部１１７ａに螺合するネジ部１６１ａを外周に有している。
頭部１６２は、テーパ状に形成された座面１６２ａを有している。挿入方向Ｘ１における頭部１６２の後端面は、図４や図５に示すように、挿入方向Ｘ１における基部１３１の後端面と略面一になるように配置され、換言すると、頭部１６２は、基部１３１の後端面から突出していない。
【００３０】
つぎに、本実施例における防水ユニット１００の特徴であるキャップ１３０とネジ１６０と台座部材１１０との間の寸法関係について、以下に説明する。
【００３１】
まず、キャップ１３０の軸部挿通孔１３４の内径は、図５に示すように、ネジ１６０の軸部１６１の外径より大きく設定されている。
また、キャップ１３０の頭部受容部１３５の内径は、図５に示すように、ネジ１６０の頭部１６２の外径より大きく設定されている。
また、挿入方向Ｘ１におけるネジ１６０の寸法は、図５に示すように、挿入方向Ｘ１におけるネジ用突出部１３３の前端面から基部１３１の後端面までの寸法と、挿入方向Ｘ１におけるタップ穴１１７の寸法とを足した長さより、大きく設定されている。
【００３２】
上記の寸法設定の結果、図５に示すように、ネジ１６０を用いて台座部材１１０に対してキャップ１３０を取り付けた状態で、頭部１６２の座面１６２ａとキャップ１３０の座面１３５ａとの間、及び、軸部１６１と軸部挿通孔１３４との間に隙間が生じ、すなわち、キャップ１３０が台座部材１１０及びネジ１６０に対して遊嵌状態で取り付けられる。
【００３３】
つぎに、コネクタ２００に対する防水ユニット１００の取り付け方法を以下に説明する。
【００３４】
防水ユニット１００の取り付け時には、まず、使用者の手により台座部材１１０に対して筒状部材１２０を回動方向Ｘ２に回動させる。
次に、台座部材１１０の位置決め凹部１１２ａとコネクタ２００の筒状部２１０に形成された位置決め凸部（図示しない）とを係合させるように、台座部材１１０の前方側円筒状部１１２をコネクタ２００の筒状部２１０内に挿入する。
次に、使用者の手を筒状部材１２０から離す。この際、ねじりバネ１５０の弾性力により筒状部材１２０が回動方向Ｘ２の逆方向に回動し、筒状部材１２０の係合部（図示しない）とコネクタ２００の係合部（図示しない）とが相互に係止し、コネクタ２００からの防水ユニット１００の外れが防止される。
【００３５】
このようにして得られた防水ユニット１００では、キャップ１３０が台座部材１１０及びネジ１６０に対して遊嵌状態で取り付けられることにより、ネジ１６０及び台座部材１１０の間でキャップ１３０が締め付けられキャップ１３０に対して継続して荷重がかかることを回避するため、経年変化によりキャップ１３０にクラックが生じることを防止でき、クラック発生に起因したキャップ１３０の破損により防水ユニット１００からキャップ１３０が脱落することを防止できる。
【００３６】
また、前述したように、キャップ１３０が台座部材１１０及びネジ１６０に対して遊嵌状態で取り付けられるため、経年変化によりキャップ１３０とネジ１６０とが相互に固着することを防止できる。
【００３７】
なお、上述した実施例では、キャップが合成樹脂製であるものとして説明したが、キャップの具体的な素材はこれに限定されるものではなく、例えば、天然ゴム等の天然樹脂をキャップの素材として用いてもよい。
【符号の説明】
【００３８】
１００    ・・・  防水ユニット
１１０    ・・・  台座部材
１１１    ・・・  基部
１１２    ・・・  前方側円筒状部
１１２ａ  ・・・  位置決め凹部
１１３    ・・・  リング用凹部
１１４    ・・・  筒状部材用凹部
１１５    ・・・  後方側円筒状部
１１５ａ  ・・・  規制部
１１６    ・・・  後方側突出部
１１７    ・・・  タップ穴
１１７ａ  ・・・  ネジ部
１２０    ・・・  筒状部材
１２１    ・・・  突出部
１３０    ・・・  キャップ（樹脂製部材）
１３１    ・・・  基部
１３２    ・・・  リップ部
１３３    ・・・  ネジ用突出部
１３４    ・・・  軸部挿通孔
１３５    ・・・  頭部受容部
１３５ａ  ・・・  座面
１４０    ・・・  Ｏリングパッキン
１５０    ・・・  ねじりバネ
１６０    ・・・  ネジ（固定部材）
１６１    ・・・  軸部
１６１ａ  ・・・  ネジ部
１６２    ・・・  頭部
１６２ａ  ・・・  座面
１７０    ・・・  収容部
２００    ・・・  コネクタ
２１０    ・・・  筒状部
Ｘ１      ・・・  挿入方向
Ｘ２      ・・・  回動方向
【図１】
2012226864.tif 000003
【図２】
2012226864.tif 000004
【図３】
2012226864.tif 000005
【図４】
2012226864.tif 000006
【図５】
2012226864.tif 000007